(57)【要約】【課題】斜面安定工における地山の緑化を極めて簡単に行なうことができると共に、緑化吹付材の流下を止めることにある。【解決手段】法面などの斜面Ａの高所と低所とを結ぶ線上に左右に所定の間隔を存して配置した型枠Ｂと、この型枠間に上下に所定の間隔を存して配置すると共に、上記型枠に両端部をそれぞれ適宜の手段により係合し、かつ弧状の膨出面が山側に向くようにした金網製の流下阻止部材４と、上記型枠内に打設したモルタルやコンクリートの打設材と、上記型枠間の地山に吹き付けた吹付材とからなる斜面安定装置。【選択図】　　図３
2004052533.tif 000002
【特許請求の範囲】
【請求項１】
法面などの斜面の高所と低所とを結ぶ線上に左右に所定の間隔を存して配置した型枠と、この型枠間に上下に所定の間隔を存して配置すると共に、上記型枠に両端部をそれぞれ適宜の手段により係合し、かつ弧状の膨出面が山側に向くようにした金網製の流下阻止部材と、上記型枠内に打設したモルタルやコンクリートの打設材と、上記型枠間の地山に吹き付けた吹付材とからなる斜面安定装置。
【請求項２】
前記流下阻止部材の谷側方向への変形を防止するように地山にピンを打ち込んだことを特徴とする請求項１に記載の斜面安定装置。
【請求項３】
法面などの斜面の高所と低所とを結ぶ線上に左右に所定の間隔を存して配置した型枠と、この型枠間に上下に所定の間隔を存して配置し、かつ両端を上記型枠に係合した金網製の流下阻止部材と、上記型枠内に打設したモルタルやコンクリートの打設材と、上記流下阻止部材の山側面上縁から斜面に吹き付けたせき止め用の吹付材とからなる斜面安定装置。
【請求項４】
前記せき止め用の吹付材の下部と山側の流下阻止部材の谷側との間の斜面に層厚が薄い保護用の吹付材を吹き付けたことを特徴とする請求項３に記載の斜面安定装置。
【請求項５】
前記型枠内斜面から上部迄に適宜の充填材を充填し、上記型枠の上部空間に客土を充填したことを特徴とする請求項１又は３に記載の斜面安定装置。
【発明の詳細な説明】
【０００１】
【発明の属する技術分野】
この発明は、オープンカット工法などにより構成した高速道路や各種施設などに面する法面や崩壊のおそれのある斜面を安定させる装置に関する。
【０００２】
【従来の技術】
斜面をそのままにしておくと、表土が雨水などの流下水によって流され、或いは崩壊するおそれがあるので、斜面を安定させる斜面安定工が必要になる。
【０００３】
上記の斜面安定工としては、まず斜面に型枠を配置する。
【０００４】
上記の型枠としては、例えば特許文献１に示すように、左右一対の側板と、この両側板間に適当な間隔を存して配置すると共に、側板に両側を取付けた連結枠とで構成されている。
【０００５】
そして、連結枠の上部と下部とに上部主筋及び下部主筋を配筋したのち、型枠の両側板間にモルタル又はコンクリートを打設して斜面を安定させる。
【０００６】
【特許文献１】
特開平７−２３６３３０号公報
【０００７】
【発明が解決しようとする課題】
上記のような斜面安定工によると、型枠にモルタル又はコンクリートを打設して形成した縦梁間の地山が露出しているため、地表に滲み出た水や降雨にともなう流下水によって地山が流されたり、崩壊すると共に、周囲の環境にマッチしないなどの問題があった。
【０００８】
また、露出している地山に緑化などのために植生基材や地山（斜面）安定のため吹付材の吹き付けも考えられるが、地山に対する吹付材の定着性に問題があった。
【０００９】
すなわち、吹付材に雨水や地表に滲み出た水分が吸収されると、吹付材の重量が著しく増加し、増加にともない下方に滑走するので、崩壊する問題があった。
【００１０】
そこで、この発明は吹付材の安定した定着をはかるようにする。
【００１１】
【課題を解決するための手段】
上記の課題を解決するために、この発明は、法面などの斜面の高所と低所とを結ぶ線上に左右に所定の間隔を存して配置した型枠と、この型枠間に上下に所定の間隔を存して配置すると共に、上記型枠に両端部をそれぞれ適宜の手段により係合し、かつ弧状の膨出面が山側に向くようにした金網製の流下阻止部材と、上記型枠内に打設したモルタルやコンクリートの打設材と、上記型枠間の地山に吹き付けた吹付材とからなる斜面安定装置を採用する。
【００１２】
また、前記流下阻止部材の谷側方向への変形を防止するように地山にピンを打ち込むこともある。
【００１３】
さらに、法面などの斜面の高所と低所とを結ぶ線上に左右に所定の間隔を存して配置した型枠と、この型枠間に上下に所定の間隔を存して配置し、かつ両端を上記型枠に係合した金網製の流下阻止部材と、上記型枠内に打設したモルタルやコンクリートの打設材と、上記流下阻止部材の山側面上縁から斜面に吹き付けたせき止め用の吹付材とからなる斜面安定装置を採用する。
【００１４】
また、前記せき止め用の吹付材の下部と山側の流下阻止部材の谷側との間の斜面に層厚が薄い保護用の吹付材を吹き付けることもある。
【００１５】
さらに、前記型枠内斜面から上部迄に適宜の充填材を充填し、上記型枠の上部空間に客土を充填することもある。
【００１６】
【発明の実施の形態】
この発明の実施の一例を添付図面に基づいて説明する。
【００１７】
この発明の第１の実施形態では、図１から図３に示すように、オープンカット工法などにより構成した高速道路や各種施設などに面する法面や崩壊のおそれのある斜面Ａの高所と低所とを結ぶ線上で、かつ左右に所定の間隔を存して型枠Ｂを載置する。
【００１８】
上記の型枠Ｂは、周知のように左右一対の金網製の側板１、１と、この両側板１、１に適宜な間隔を存して配置すると共に、側板１、１に両側を取付けた連結部材２とで構成されている。
【００１９】
また、上記の連結部材２としては、図２に示すように側板１、１の縦線に両端の環状部を巻回して取付けた上下二本の水平杆と、この両水平杆の両端部に両端部を交差させて、交差部分をスポット溶接により固定した左右二本の垂直杆とで構成した場合や、図４に示すように連結部材２として金網１１を用い、この金網１１の所望の横線の両端を側板１、１の縦線に巻回して構成する場合とがある。
【００２０】
そして、周知のように、斜面Ａに載置した型枠には、鉄筋３が配筋される。
【００２１】
上記鉄筋３は、図２に示す場合、連結枠２の水平杆に配筋すると共に、番線を用いて支持させてある。
【００２２】
また、図４に示すように、鉄筋３を、両側板１、１の外側面に配筋して、番線を介し側板１、１に支持させることもある。
【００２３】
強度を必要としない場合には、鉄筋３を配筋しないこともある。
【００２４】
次に、弧状に屈曲すると共に、弧状の膨出面が山側に向くようにした金網製の流下阻止部材４の両端部を型枠Ｂに係合（支持）させる。
【００２５】
上記の係合手段としては、図示の場合、流下阻止部材４を形成する金網の横線の両端を両側（端）の縦線に対し大きく突出させて、この横線の突出端部を型枠Ｂを構成する側板１の網目に突き刺して支持するようにしたが、例えば側板１に流下阻止部材４の端を番線などを介し取付けることもできる。
【００２６】
しかして、各型枠Ｂ内にモルタルやコンクリートなどの打設材Ｃを打設（流し込んで）して斜面Ａの安定をはかる。
【００２７】
その際、連結部材２に金網１１を用いた型枠Ｂにあっては、型枠Ｂ内に打設した打設材Ｃの谷側方向への流下を金網１１によって阻止することができる。
【００２８】
なお、山側と谷側とを結ぶ線上に配置した縦列の型枠Ｂに横列の型枠（図示省略）を配置して、横列の型枠にも打設材を打設してなお一層の斜面の安定をはかることもある。
【００２９】
その後に、型枠Ｂ間の斜面Ａに流下阻止部材４が埋没するように吹付材Ｄを吹き付ける。
【００３０】
吹き付けた吹付材Ｄに谷側方向への流下動が作用しても、流下阻止部材４によって阻止され、流下阻止部材４に吹付材Ｄの谷側方向への荷重が作用しても、弧状に屈曲した膨出面が山側に向けてあるため、型枠Ｂに流下阻止部材４の端を押し付けることになって、流下阻止部材４の移動を止める。
【００３１】
このため、吹付材Ｄの安定した定着ができる。
【００３２】
なお、吹付材Ｄとしては、モルタルやコンクリート、透水性コンクリートや緑化のための種やマンネングサなどを混入した植生基盤材などが考えられる。
【００３３】
また、流下阻止部材４の谷側方向の変形を防止するように、斜面Ａにピン（鋼棒などの）５を打ち込む。
【００３４】
上記のピン５は、図示の場合流下阻止部材４の谷側に打ち込んで、ピン５によって流下阻止部４を支承するようにしたが、流下阻止部材４の山側にピンを打ち込んで、ピンに流下阻止部材４を番線などで止めることもできる。
【００３５】
この発明の第２の実施形態では、図５から図７に示すように、第１の実施形態と同様に斜面Ａの高所と低所とを結ぶ線上で、かつ左右に所定の間隔を存して型枠Ｂを載置する。
【００３６】
上記の型枠Ｂは、第１の実施形態と同様につき説明を省略する。
【００３７】
そして、強度を必要とする場合は、第１の実施形態と同様に型枠Ｂに鉄筋３を配筋する。
【００３８】
次に、金網製の直線状（第１の実施形態のように弧状に屈曲していない）の流下阻止部材４′の両端を型枠Ｂに係合（支持）させる。勿論上下に所定の間隔を存して配置する。
【００３９】
上記の係合（支持）手段は、第１の実施形態と同様につき説明を省略する。
【００４０】
上記流下阻止部材４′の高さ（丈）は、図示の場合型枠Ｂの高さよりも低くしてあり、その高さも斜面Ａの傾斜角度によって適宜決定する。
【００４１】
例えば、傾斜角度が大きくなる程高さが高くなるようにする。
【００４２】
しかして、型枠Ｂ内にモルタルやコンクリートなどの打設材Ｃを打設（流し込んで）斜面Ａの安定をはかる。
【００４３】
その後に、各流下阻止部４′の山側面にせき止め用の吹付材Ｄを吹き付ける。
【００４４】
上記吹付材Ｄの吹き付けは、斜面Ａから流下阻止部材４′の上縁迄の山側面の全面で、図示のように三角形状に吹き付けて強度をもたせる。
【００４５】
上記吹付材Ｄは、第１の実施形態と同様につき説明を省略する。
【００４６】
すると、吹付材Ｄ間や吹付材Ｄの山側及び谷側の露出した斜面Ａの雨水などによる流下した土砂は、吹付材Ｄによって止め、せきとしての役目をする。
【００４７】
この発明の第３の実施形態では、図８に示すように、第２の実施形態の吹付材Ｄを吹き付けた流下阻止部材４′間及び吹付材Ｄを吹き付けた流下阻止部材４′の山側及び谷側の斜面Ａの露出面に吹付材Ｄを薄く吹き付ける。
【００４８】
すると、斜面Ａに吹き付けた吹付材Ｄによって斜面Ａの土砂などの流下を止めて斜面の安定をはかると共に、吹付材Ｄに混入した種やマンネングサなどによって緑化することができる。
【００４９】
この発明の第４の実施形態では、図９に示すように第１、第２及び第３の実施形態の必要に応じ鉄筋３を配筋した型枠Ｂにモルタル、コンクリート、砂などの充填材Ｅを流し込み或いは充填する。
【００５０】
その際、型枠Ｂ内の上部から上面迄に空間を形成するようにする。
【００５１】
然るのち、上記の空間に客土Ｆを充填する。
【００５２】
上記の客土Ｆとしては、既知のように、土に肥料、保水剤（材）及び緑化のための種子やマンネングサなどを混入したものがある。
【００５３】
すると、型枠Ｂの上部を緑化し、周囲の環境にマッチさせることができる。
【００５４】
【発明の効果】
以上のように、この発明の斜面安定装置によれば、斜面に吹き付けた吹付材の流下を流下阻止部材により阻止して安定した定着をはかると共に、弧状に屈曲した流下阻止部材の膨出面を山側に向けて、吹付材の流下荷重を弧状膨出面に作用させるため、型枠に流下阻止部材の端を型枠に押し付けることになるので、流下阻止部材の変形がなく、安定した配置状態を維持する。
【００５５】
また、ピンによって流下阻止部材を支持するので、流下阻止部材のなお一層安定した配置が可能になる。
【００５６】
さらに、左右の型枠間に上下に所定の間隔を存して配置すると共に、両端を型枠に係止した金網製の流下阻止部材を設けて、この流下阻止部材の山側面上縁から斜面上に吹付材を吹き付けてあるので、雨水などによる斜面の土砂の流下を吹付材の吹き付け流下阻止部材の部分でせき止めすることができる。
【００５７】
また、吹付材の吹き付け流下阻止部材間や吹付材の吹き付け流下阻止部材の山側や谷側の斜面に吹付材を薄く吹き付けてあるので、斜面の土砂の流下を止めて極めて良好に斜面の安定をはかる。
【００５８】
さらに、型枠に充填材を充填する際、型枠内の上部から上面迄に空間を設けて、この空間に客土を充填してあるので、型枠を緑化することができる。
【図面の簡単な説明】
【図１】この発明の第１の実施形態を示す平面図
【図２】同縦断拡大正面図
【図３】要部を示す斜視図
【図４】型枠の他の例を示す縦断拡大正面図
【図５】第２の実施形態を示す平面図
【図６】同上の要部を示す縦断拡大正面図
【図７】同縦断拡大側面図
【図８】第３の実施形態を示す縦断拡大側面図
【図９】第４の実施形態の要部を示す縦断拡大正面図
【符号の説明】
Ａ　　　　斜面
Ｂ　　　　型枠
１　　　　側板
２　　　　連結部材
３　　　　鉄筋
４、４′　流下阻止部材
５　　　　ピン
１１　　　金網
Ｃ　　　　打設材
Ｄ　　　　吹付材
Ｅ　　　　充填材
Ｆ　　　　客土
【図１】
2004052533.tif 000003
【図２】
2004052533.tif 000004
【図３】
2004052533.tif 000005
【図４】
2004052533.tif 000006
【図５】
2004052533.tif 000007
【図６】
2004052533.tif 000008
【図７】
2004052533.tif 000009
【図８】
2004052533.tif 000010
【図９】
2004052533.tif 000011